(57)【要約】      （修正有）【課題】換気効率を向上させ、かつ線香による防虫殺菌効果を兼ね備えた簡便な納骨室内の換気構造を提供する。【解決手段】正面側、両側面側、背面側の四方を囲む側壁板と、上方を塞ぐ上壁板とで納骨室６が構成され、納骨室の内部と外部とを連通する通気路を備えた納骨室の換気構造において、該上壁板には上壁板の底面と一つの側面との間に配設された少なくとも一つの上部換気路を設け、少なくとも側壁板の一つに納骨室内部と納骨室外部とを連通する下部通気路を設け、下部通気路に線香受け９を設けたことを特徴とする。【選択図】図１
0003193256.tif 000002
【実用新案登録請求の範囲】
【請求項１】
正面側、両側面側、背面側の四方を囲む側壁板と、上方を塞ぐ上壁板とで納骨室が構成され、納骨室の内部と外部とを連通する通気路を備えた納骨室の換気構造において、該上壁板には上壁板の底面と一つの側面との間に配設された少なくとも一つの上部換気路を設け、少なくとも側壁板の一つに納骨室内部と納骨室外部とを連通する下部通気路を設け、該下部通気路に線香受けを設けたことを特徴とする納骨室の換気構造。
【請求項２】
正面側、両側面側、背面側の四方を囲む側壁板と、上方を芝台と拝石とで塞いで納骨室が構成され、納骨室の内部と外部とを連通する通気路を備えた納骨室の換気構造において、該拝石には拝石の底面と一つの側面との間に配設された少なくとも一つの上部換気路を設け、正面側の側壁板に納骨室内部と納骨室外部とを連通する下部通気路を設け、該下部通気路に線香受けを設けたことを特徴とする納骨室の換気構造。
【考案の詳細な説明】
【技術分野】
【０００１】  本考案は墓所の納骨室内の換気を図る為の換気構造に関するものである。
【背景技術】
【０００２】  墓所は、基本的に、墓碑、その下部に大地とつながる納骨室及び周囲を区画する外柵で構成されている。納骨室は骨を納める部屋であり、大地と接している為、内部に湿気が大変こもり、結露を生じ骨壷内に水が溜まったり、内部がいつもぬるぬるしている問題がある。【０００３】  このような問題に対処するいくつかの提案があり、その一つに本出願人が提案した換気機能付き拝石（特許文献１）がある。これは、納骨室の上部を閉じる拝石内にその幅方向に延びる換気路を形成し拝石の両側部に開口する側部開口部を構成し、更に換気穴の両端部を除いて下面に開口する。下面開口部を構成し加えて両側の側部開口穴に換気を許容しつつ、雨水及び異物の浸入を防止する異物浸入防止具を装着し、また少なくとも換気路の一つに線香受を設けた墓の拝石換気構造である。これにより納骨室内に線香の煙が充満して納骨室内を線香の煙によって香りと防虫殺菌の効果が期待でき、また充満した煙が側部換気部から換気作用（湿気）と一緒に出てきて参拝者にも線香の効果があるものである。
また、芝台に上部通気孔、側壁に下部通気孔を設ける構造も提案されている（特許文献２）。
【先行技術文献】
【特許文献】
【０００４】
【特許文献１】  特許第４７２１１２２号
【特許文献２】  特開２０１１−２１９９８４号公報
【考案の概要】
【考案が解決しようとする課題】
【０００５】  しかしながら、拝石だけに通気孔を設ける特許文献１記載の構造では、換気効率に限度があり、納骨室下部の換気が十分に行えない可能性がある。
また、特許文献２記載の構造では、換気効率の向上は望めるものの、線香による防虫殺菌の効果はない。更に芝台に上部通気孔を設けているが、一般に芝台はその上に石塔（墓標）を載せるものであり、いったん設置すると移動等はできないものである。よって、新設時や全面改装時でないと、換気構造への改修は不可能である。
本考案は、換気効率を向上させ、かつ線香による防虫殺菌効果を兼ね備えた簡便な納骨室内換気構造を提供することを目的とする。
【課題を解決するための手段】
【０００６】  この課題を解決するため、正面側、両側面側、背面側の四方を囲む側壁板と、上方を塞ぐ上壁板とで納骨室が構成され、納骨室の内部と外部とを連通する通気路を備えた納骨室の換気構造において、該上壁板には上壁板の底面と一つの側面との間に配設された少なくとも一つの上部換気路を設け、少なくとも側壁板の一つに納骨室内部と納骨室外部とを連通する下部通気路を設け、該下部通気路に線香受けを設けたことを特徴とする納骨室の換気構造を考案した。
また、正面側、両側面側、背面側の四方を囲む側壁板と、上方を芝台と拝石とで塞いで納骨室が構成され、納骨室の内部と外部とを連通する通気路を備えた納骨室の換気構造において、該拝石には拝石の底面と一つの側面との間に配設された少なくとも一つの上部換気路を設け、正面側の側壁板に納骨室内部と納骨室外部とを連通する下部通気路を設け、該下部通気路に線香受けを設けたことを特徴とする納骨室の換気構造を考案した。
【考案の効果】
【０００７】  既存の技術では新設のみでしか改善できない点が一番多くの問題であり、今ある墓ではなかなか簡単には換気システムは出来ないが、本案では新規・既存どちらでも短時間で簡単に改善でき、内部の結露と異物や雨水の侵入を防止し、納骨室の良好な換気を確保することが出来る。
また側壁板に下部換気路を設けて、その換気路内に線香受を入れて線香を燃やした場合には下部換気路から流入した外気により線香の煙が納骨室内に充満して納骨室内を線香の煙によって香りと防虫殺菌の効果が期待できる。また充満した煙が上部換気路から換気作用（湿気）と一緒に出てきて参拝者にも線香の効果がある。
線香受けは下部換気路から取り外しができ、点火した線香を入れる時も燃えかすをとる時も容易にできて掃除も簡単である。また煙による防虫効果もある。
【図面の簡単な説明】
【０００８】
【図１】本考案に係る墓の横横断面図
【図２】本考案に係る墓の概観図
【図３】線香受の説明図
【図４】拝石の説明図
【考案を実施するための形態】
【０００９】  以下の本考案を実施するための形態を図面に基づいて説明する。
図１は本考案に係る納骨室の横断面図であり、図２は外観図である。本考案の納骨室構造は、図１に示すように、正面側壁板４、背面側壁板５と、図示しないものの左右の側壁板とで箱型に区切られた納骨室６が形成される。納骨室６の上面は芝台２と拝石３で塞がれている。芝台２の上方には石塔１が載置される。石塔１及び芝台２は重量があるので、通常は一旦建立した後に動かされることはない。拝石はお骨を納骨室内に出し入れするため、一人か二人の力で動かせる重さになっている。納骨室６の内部には、骨壺８を載置するための骨壺載置台７が設置されている。
【００１０】  図４は、本考案における拝石の構造を説明するものである。この図は拝石を上下逆に図示している。納骨室側に面する拝石下面３ａの中央部分には拝石下面開口３ｄ、拝石側面３ｂには拝石側面開口３ｃが設けられている。３ｃと３ｄとは拝石内部で連通しており、納骨室内の湿気等が開口３ｄから開口３ｃへと通じ納骨室外部へと排気される。なお、虫やごみの侵入防止のためには、拝石側面開口３ｃに周知の手段である網等を設けることが望ましい。
図３は、正面側側板４と線香受け９の構造を説明する横断面図である。正面側側板４には下部通気孔１０が設けられ、納骨室外部と納骨室内部とが連通されている。下部通気孔１０には線香受け９が着脱自在に設けられている。線香受け９は、鍔部９ａと、嵌合部９ｂ、線香受け部９ｃ、貫通孔９ｄとからなっている。線香受け９を納骨室外部から下部通気孔１０に挿入すると、嵌合部９ｂにて下部通気孔１０と嵌合し、鍔部９ａにより挿入位置が限定される。鍔部９ａと反対側に位置する線香受け部９ｃは、該挿入により納骨室の内部側に配置される。線香受け部９ｃに着火した線香を載せると貫通孔９ｄを通じて納骨室外部から空気が入って該線香が燃焼するものである。線香を載せない場合は、外気が貫通孔９ｄを通じて納骨室内部に流入し、更には上部換気孔を構成する拝石３の拝石下面開口３ｄから拝石側面３ｃを通じて納骨室外部へと排気されるものである。図示しないものの線香受け部９ｃは網状部材で構成することにより線香の燃焼がスムーズに行えるものであり、また貫通孔９ｄに防虫・防ゴミ用のネットを設けることも可能である。
【００１１】  以上の構成により、納骨室内の良好な換気と雨水・異物浸入を確保することができる。それ故内部の結露を防止し、骨壷等の良好な保管状態を確保することができるものである。また、納骨室内部で線香を炊くことで、お骨に線香の煙をあてることができ、お参りする人の気持ちを直接に故人に伝えることができるものである。また、線香の煙により、納骨室内の防虫・殺菌にも効果があるものである。
【００１２】  また、既存の墓であっても、取り外し可能な拝石を本考案の拝石と交換し、更には正面側側石にドリル等の丸孔加工工具で後加工して貫通孔を明けることで、本考案の納骨室換気構造を実現できるものである。
【符号の説明】
【００１３】  １  石塔
２  芝台
３  拝石
３ａ  拝石下面
３ｂ  拝石側面
３ｃ  拝石側面開口
３ｄ  拝石下面開口
４  正面側壁板
５  背面側壁板
６  納骨室
７  骨壺載置台
８  骨壺
９  線香受け
９ａ  鍔部
９ｂ  嵌合部
９ｃ  線香受け部
９ｄ  貫通孔
１０  下部通気孔
【図１】
0003193256.tif 000003
【図２】
0003193256.tif 000004
【図３】
0003193256.tif 000005
【図４】
0003193256.tif 000006